(57)【要約】      （修正有）【課題】スムーズに作動し減衰効果を向上できるダンパ装置を提供する。【解決手段】外管ユニット２及び外管ユニットに取り付けられたピストンユニット３を備えたダンパ装置であって、ピストンユニット３は、一端が外管ユニットに固定され、他端が収容空間２４内に配置されると共に、一端に対して可動的な付勢手段３１と、付勢手段の他端に取り付けられているオイルシール手段３２と、を有し、オイルシール手段３２は、剛性材料により構成され付勢手段３１の他端に取り付けられているオイルシール本体と、可撓性を有する弾性材料により構成されオイルシール本体とピストンロッド３４との間に介在する第１のＯリング３２３と、可撓性を有する弾性材料により構成されオイルシール本体と外管ユニットの内壁面との間に介在する第２のＯリング３２４と、を有する。【選択図】図３
0003205628.tif 000002
【実用新案登録請求の範囲】
【請求項１】
第１の端部から第２の端部まで延伸し、内部に収容空間を囲む管状体に形成された外管ユニット、及び該外管ユニットに取り付けられているピストンユニットを備えたダンパ装置であって、
前記ピストンユニットは、
一端が前記外管ユニットの前記第１の端部に固定され、他端が前記収容空間内における前記第１の端部側に配置されていると共に、前記一端に対して可動的になっている付勢手段と、
前記付勢手段の前記他端に取り付けられているオイルシール手段と、
前記収容空間内における前記第２の端部側に配置されているピストンヘッドと、
前記外管ユニットの前記第１の端部を経由して前記収容空間内に挿しこまれてから、前記オイルシール手段を貫通して先端が前記ピストンヘッドに固定されているピストンロッドと、を有し、且つ、
前記オイルシール手段は、剛性材料により構成されて前記付勢手段の前記他端に取り付けられているオイルシール本体と、可撓性を有する弾性材料により構成されて該オイルシール本体と前記ピストンロッドとの間に介在する第１のＯリングと、可撓性を有する弾性材料により構成されて該オイルシール本体と前記外管ユニットの内壁面との間に介在する第２のＯリングと、を有しており、
前記ピストンヘッドは、前記ピストンロッドに取り付けられているピストン本体と、該ピストン本体と前記外管ユニットの内壁面との間に介在する第３のＯリングと、を有していることを特徴とするダンパ装置。
【請求項２】
前記オイルシール本体は、前記付勢手段の前記他端に取り付けられている第１のブロックと、該第１のブロックに取り付けられている第２のブロックと、を組み合わせたものであり、
前記第１のブロックには、前記第１のＯリングを受入れる第１の収容溝が形成されており、
前記第２のブロックには、前記第２のＯリングを受入れる第２の収容溝が形成されていることを特徴とする請求項１に記載のダンパ装置。
【請求項３】
前記第１のブロックには、前記第２のブロック側に向かって開口する複数の結合スロットが形成されており、
前記第２のブロックには、各前記結合スロットに対応してそれぞれ前記第１のブロック側に向かって突出して対応の前記結合スロットに挿し込まれる結合ピンが複数形成されていることを特徴とする請求項２に記載のダンパ装置。
【請求項４】
前記外管ユニットは、前記第２の端部にある端板と、
前記端板と略直交する中軸に沿って前記端板の周縁から前記第１の端部まで延伸して先端に開口が形成されている管壁と、
前記第１の端部にある前記開口を封止するキャップと、を有していることを特徴とする請求項１〜請求項３のいずれか一項に記載のダンパ装置。
【請求項５】
前記ピストン本体には、
該ピストン本体の前記第１の端部に面する端部の周面から前記管壁に向かって張り出し、且つ前記収容空間内において前記端板から前記オイルシール本体までの空間を、前記第１の端部側にある第１のチャンバーと前記第２の端部側にある第２のチャンバーとに仕切る仕切りフランジと、
前記ピストン本体の前記第２の端部に面する端部の周面から前記管壁に向かって張り出す保持フランジと、
前記第１のチャンバーと前記第２のチャンバーとを連通させる連通孔と、
前記仕切りフランジと前記保持フランジと前記ピストン本体の周面とにより画成されて前記管壁に向かって開口する第３の収容溝と、が形成されており、
前記第３のＯリングは前記第３の収容溝内に可動的に嵌め込まれると共に、前記ピストンヘッドの前記外管ユニットに対する移動方向に応じて前記仕切りフランジと前記管壁とに同時に当接する当接位置と、該当接位置から離れるリリース位置との間に移動することができるように配置構成されていることを特徴とする請求項４に記載のダンパ装置。
【請求項６】
前記ピストン本体に形成される前記連通孔は、該ピストン本体の前記第１の端部に面する端部の周面において前記仕切りフランジよりも前記第１の端部に接近する箇所に形成されて、前記第１のチャンバーと連通する第１の連通開口から、前記ピストン本体の前記端板に面する端面に形成されて前記第２のチャンバーと連通する第２の連通開口まで延伸しており、
前記第２の連通開口の幅が前記第１の連通開口の幅より広いことを特徴とする請求項５に記載のダンパ装置。
【考案の詳細な説明】
【技術分野】
【０００１】
本考案はダンパ装置に関し、特に、ピストン構造を使用し、従来よりもスムーズに作動することができるダンパ装置に関する。
【背景技術】
【０００２】
ピストン構造を使用する従来のダンパ装置は、例えば特許文献１に開示されたものがある。図１及び図２に特許文献１に記載のダンパ装置の断面図が示されており、図示されたように、該ダンパ装置１は、所定の方向（図中の上下方向）に沿って延伸するシリンダ１１内に、ピストンロッド１７と、ピストンロッド１７の先端にあるピストンヘッド１５と、ピストンロッド１７に取り付けられているオイルシール１４と、前記所定の方向に沿って伸縮できるように、両端がオイルシール１４に配置されている取付座１３とシリンダ１１のピストンロッド１７により挿通されている端部とにそれぞれ固定されているコイルばね１２と、を備えたピストンと、が挿しこまれることによって、シリンダ１１内の空間１１０がピストンヘッド１５によって第１の圧力室１１１と第２の圧力室１１２とに区切られていると共に、第１の圧力室１１１と第２の圧力室１１２内にオイル１１３が充填されている。また、図１及び図２に示されているように、該ダンパ装置１のピストンヘッド１５にはシリンダ１１の内壁に当接できる水密リング１６が可動的に取付けられている。      
【０００３】
また、ピストンロッド１７の先端に固定されているピストンヘッド１５には、第１の圧力室１１１と第２の圧力室１１２とを連通させる連通路１５０が形成されている。
【０００４】
図１に示されているように、ピストンヘッド１５が第１の圧力室１１１側から第２の圧力室１１２側へ移動する場合、ピストンヘッド１５に取り付けられている水密リング１６はシリンダ１１の内壁と摩擦しながら第１の圧力室１１１側へ移動し、そして図２に示されているように、ピストンヘッド１５が第２の圧力室１１２側から第１の圧力室１１１側へ移動する場合、水密リング１６はシリンダ１１の内壁と摩擦しながら第２の圧力室１１２側へ移動する。
【０００５】
この構成により、図１に示されているように、ピストンヘッド１５がシリンダ１１の延伸方向で図中の上側から下側へ移動すると、ピストンヘッド１５の上側にある第１の圧力室１１１の圧力が下降し、ピストンヘッド１５の下側にある第２の圧力室１１２の圧力が上昇すると共に、第２の圧力室１１２内にあるオイル１１３が連通路１５０を経由して第１の圧力室１１１に流れる一方、第２の圧力室１１２内にあるオイル１１３の流体抵抗でピストンヘッド１５並びにピストンロッド１７から伝わってくる衝撃力を減衰させることができる。
【先行技術文献】
【特許文献】
【０００６】
【特許文献１】実用新案登録第３１８９２９５号明細書
【考案の概要】
【考案が解決しようとする課題】
【０００７】
しかし、上記構成を有する従来のダンパ装置は、コイルばね１２の両端がオイルシール１４に配置されている取付座１３とシリンダ１１のピストンロッド１７により挿通されている端部とにそれぞれ固定されているが、オイルシール１４はオイル１１３を第１の圧力室１１１内に封止するため可撓性を有する弾性材料で構成する必要があり、そして取付座１３はコイルばね１２を安定に保持するために剛性材料を使用せざるを得ないので、ピストンの作動で第１の圧力室１１１及び第２の圧力室１１２の内圧を調整しながらピストンロッド１７から伝わってくる衝撃力を減衰する際、取付座１３とオイルシール１４は構成材料の弾性／剛性が異なるため移動するタイミングや速度が同期できず、設計通りに減衰効果を発揮することができない欠点がある。
【０００８】
上記問題点に鑑みて、本考案はよりスムーズに作動することが出来て減衰効果を向上できるダンパ装置の提供を目的とする。
【課題を解決するための手段】
【０００９】
上記目的を達成する手段として、本考案は、第１の端部から第２の端部まで延伸し、内部に収容空間を囲む管状体に形成された外管ユニット及び該外管ユニットに取り付けられているピストンユニットを備えたダンパ装置であって、前記ピストンユニットは、一端が前記外管ユニットの前記第１の端部に固定され、他端が前記収容空間内における前記第１の端部側に配置されていると共に、前記一端に対して可動的になっている付勢手段と、前記付勢手段の前記他端に取り付けられているオイルシール手段と、前記収容空間内における前記第２の端部側に配置されているピストンヘッドと、前記外管ユニットの前記第１の端部を経由して前記収容空間内に挿しこまれてから前記オイルシール手段を貫通して先端が前記ピストンヘッドに固定されているピストンロッドと、を有し、且つ、前記オイルシール手段は、剛性材料により構成されて前記付勢手段の前記他端に取り付けられているオイルシール本体と、可撓性を有する弾性材料により構成されて該オイルシール本体と前記ピストンロッドとの間に介在する第１のＯリングと、可撓性を有する弾性材料により構成されて該オイルシール本体と前記外管ユニットの内壁面との間に介在する第２のＯリングと、を有しており、前記ピストンヘッドは、前記ピストンロッドに取り付けられているピストン本体と、該ピストン本体と前記外管ユニットの内壁面との間に介在する第３のＯリングと、を有していることを特徴とするダンパ装置を提供する。
【考案の効果】
【００１０】
上記構成によれば、本考案のダンパ装置は、オイルシール手段が剛性材料により構成されて付勢手段に取り付けられているオイルシール本体と、可撓性を有する弾性材料により構成されて該オイルシール本体とピストンロッドとの間に介在する第１のＯリングと、可撓性を有する弾性材料により構成されて該オイルシール本体と外管ユニットの内壁面との間に介在する第２のＯリングと、を有するように構成されているため、付勢手段に取り付けられて該付勢手段の伸縮に応じて移動するオイルシール本体が剛性材料により構成されているので作動にタイムラグが発生せず、そして該オイルシール本体とピストンロッド及び外管ユニットの内壁面との間には可撓性を有する弾性材料により構成された第1及び第２のＯリングが介在していてオイルシールとしての機能を発揮することができるので、従来のダンパ装置よりスムーズに作動することが出来て減衰効果を向上できるダンパ装置を提供することが出来る。
【図面の簡単な説明】
【００１１】
【図１】従来のダンパ装置の一例の構成及び作動状態が示されている断面図である。
【図２】同従来のダンパ装置の構成及び作動状態が示されている断面図である。
【図３】本考案のダンパ装置の一実施形態の構成が示されている分解斜視図である。
【図４】本考案のダンパ装置の一実施形態の構成及び作動状態が示されている断面図である。
【図５】本考案のダンパ装置の一実施形態の作動状態が示されている一部拡大断面図である。
【図６】本考案のダンパ装置の一実施形態の構成及び作動状態が示されている断面図である。
【図７】本考案のダンパ装置の一実施形態の作動状態が示されている一部拡大断面図である。
【考案を実施するための形態】
【００１２】
以下、図３〜図７を参照して本考案のダンパ装置の一実施形態について詳しく説明する。
【００１３】
図３は本考案のダンパ装置の構成が示されている分解斜視図であり、図４はその組み立てた状態が示されている断面図である。
【００１４】
図３及び図４に示されるように、本考案のダンパ装置は、第１の端部２０１から第２の端部２０２まで延伸し、内部に収容空間２４を囲む管状体に形成された外管ユニット２及び該外管ユニット２に取り付けられているピストンユニット３を備えたダンパ装置である。
【００１５】
外管ユニット２は、第２の端部２０２にある端板２１と、端板２１と略直交する中軸に沿って端板２１の周縁から第１の端部２０１まで延伸して先端に開口が形成されている管壁２２と、第１の端部２０１にある前記開口を封止するキャップ２３と、を有するように構成されている。また、管壁２２の内周面には縮径部２２１が形成されている。
【００１６】
ピストンユニット３は、一端が外管ユニット２の第１の端部２０１にあるキャップ２３に固定され、他端が収容空間内２４における第１の端部２０１側に配置されていると共に前記一端に対して可動的になっている付勢手段３１と、付勢手段３１の前記他端に取り付けられているオイルシール手段３２と、収容空間２４内における第２の端部２０２側に配置されているピストンヘッド３３と、外管ユニット２の第１の端部２０１にあるキャップ２３を経由して収容空間２４内に挿しこまれてからオイルシール手段３２を貫通して先端がピストンヘッド３３に固定されているピストンロッド３４と、を有するように構成されている。なお、外管ユニット２の収容空間２４内においてピストンユニット３のオイルシール手段３２と外管ユニット２の端板２１との間の空間内には、例えばオイルなどの液体２４４が注入されている。
【００１７】
この実施形態において、付勢手段３１としては伸縮可能なコイルばねが用いられている。
【００１８】
オイルシール手段３２は、例えば金属や熱可塑性プラスチックなどの変形不可能な剛性材料により構成されて付勢手段３１の前記他端に取り付けられているオイルシール本体３２０と、例えばゴムやシリコーンなどの可撓性を有する弾性材料により構成されて該オイルシール本体３２０とピストンロッド３４との間に介在する第１のＯリング３２３と、同じく可撓性を有する弾性材料により構成されて該オイルシール本体３２０と外管ユニット２の管壁２２の内壁面との間に介在する第２のＯリング３２４と、を有している。また、オイルシール手段３２の移動可能範囲の下死点は縮径部２２１の形成により該縮径部２２１に決められている。
【００１９】
更に、この実施形態において、オイルシール本体３２０は、付勢手段３１の前記他端に取り付けられていて環状体に形成されている第１のブロック３２１と、該第１のブロック３２１に取り付けられていて環状体に形成されている第２のブロック３２２と、により組み合わされたものであり、第１のブロック３２１の内周面には、第１のＯリング３２３を受入れる第１の収容溝３２６が形成されており、第２のブロック３２２の外周面には、第２のＯリング３２４を受入れる第２の収容溝３２８が形成されている。
【００２０】
また、第１のブロック３２１には、第２のブロック３２２側に向かって開口する複数の結合スロット３２７が形成されており、第２のブロック３２２には、各結合スロット３２７に対応してそれぞれ第１のブロック３２１側に向かって突出して対応の結合スロット３２７に挿し込まれる結合ピン３２９が複数形成されている。これら結合スロット３２７及び結合ピン３２９の嵌合により、第１のブロック３２１及び第２のブロック３２２は一体のオイルシール本体３２０として結合されている。なお、オイルシール手段３２の第１のブロック３２１の介在により、収容空間２４内においてオイルシール手段３２と第１の端部２０１にあるキャップ２３との間に付勢手段３１が収容される空気チャンバー２４５が画成されている。
【００２１】
ピストンヘッド３３は、ピストンロッド３４に固定されるように取り付けられているピストン本体３３０と、該ピストン本体３３０と外管ユニット２の管壁２２の内壁面との間に介在する第３のＯリング３３２と、を有している。
【００２２】
この実施形態において、ピストン本体３３０には、該ピストン本体３３０の第１の端部２０１に面する端部の周面から管壁２２に向かって張り出し、且つ収容空間２４内において端板２１からオイルシール３２までの空間を、第１の端部２０１側にある第１のチャンバー２４７と第２の端部２０２側にある第２のチャンバー２４６とに仕切る仕切りフランジ３３１と、ピストン本体３３０の端板２１に面する端部の周面から管壁２２に向かって張り出す保持フランジ３３３と、仕切りフランジ３３１と保持フランジ３３３とピストン本体３３０の周面により画成されて管壁２２に向かって開口する第３の収容溝３３４と、第１のチャンバー２４７と第２のチャンバー２４６とを連通させる連通孔３３５と、が形成されている。
【００２３】
また、図示のように、この実施形態において、ピストン本体３３０に形成される連通孔３３５は、該ピストン本体３３０の第１の端部２０１に面する端部の周面において仕切りフランジ３３１よりも第１の端部２０１に接近した箇所に形成されて、第１のチャンバー２４７と連通する第１の連通開口３３６から、ピストン本体３３０の端板２１に面する端面に形成されて第２のチャンバー２４６と連通する第２の連通開口３３７まで延伸しており、そして第２の連通開口３３７の幅が第１の連通開口３３６の幅より広くなっている。
【００２４】
第３のＯリング３３２は、第３の収容溝３３４内に可動的に嵌め込まれると共に、ピストンヘッド３３の外管ユニット２に対する移動方向に応じて仕切りフランジ３３１と管壁２２とに同時に当接する当接位置と、該当接位置から離れたリリース位置と、の間において移動することができるように配置されている。
【００２５】
以下では図４〜図７を参照しながら本考案のダンパ装置の作動状態について詳しく説明する。
【００２６】
上記のように図４は本考案のダンパ装置の組み立てた状態が示されている断面図であると共に、ピストンヘッド３３が第１の端部２０１側（図中の上側）から第２の端部２０２の近くまで押し込まれた状態が示されており、図５は図４においてオイルシール手段３２及びピストンヘッド３３の近辺が拡大表示されている断面図であり、図６はピストンヘッド３３が第２の端部２０２側（図中の下側）からオイルシール手段３２の近くに引き上げられた状態が示されており、図７は図６においてオイルシール手段３２及びピストンヘッド３３の近辺が拡大表示されている断面図である。
【００２７】
図４及び図５に示されるように、ピストンヘッド３３が矢印で示されるように第１のチャンバー２４７側から第２のチャンバー２４６側へ端板２１に接近するように移動すると、第３のＯリング３３２が仕切りフランジ３３１に当接して仕切りフランジ３３１と管壁２２との間にある隙間を封止するようになり、そして第２のチャンバー２４６が圧縮されて、第２のチャンバー２４６内にあった液体２４４がピストンヘッド３３に形成されている連通孔３３５を経由して第１のチャンバー２４７に流入して第１のチャンバー２４７の圧力が第２のチャンバー２４６の圧力と均衡するように上昇する。一方、ピストンロッド３４が収容空間２４内に入り込んだ分、収容空間２４の容積（具体的には第１と第２のチャンバー２４７、２４６を合わせた容積）が減少するので、オイルシール手段３２もこれに対応して第１の端部２０１にあるキャップ２３側へ移動し、コイルばねである付勢手段３１を圧縮すると共に空気チャンバー２４５の内圧を上昇させる。
【００２８】
この図４及び図５に示されている状態から、図６及び図７に示されている状態に移行しようとしてピストンヘッド３３が矢印で示されるように端板２１から離れてオイルシール手段３２側に移動すると、第２のチャンバー２４６の内圧が下がると共に、第１のチャンバー２４７にあった液体２４４がピストンヘッド３３に形成されている連通孔３３５を経由して第２のチャンバー２４６に流入して第１のチャンバー２４７の内圧が下降し、そしてオイルシール手段３２もキャップ２３側から端板２１側へ移動し、コイルばねである付勢手段３１を引張ると共に空気チャンバー２４５の内圧が下降する。
【００２９】
このように、図４及び図５に示されている状態から、図６及び図７に示されている状態に移行する作動において、オイルシール手段３２とキャップ２３との間に取付けられている付勢手段３１は、ピストンロッド３４の進出による第１と第２のチャンバー２４７、２４６を合わせた容量の変化に伴うオイルシール手段３２の移動に対抗するように働き、空気チャンバー２４５の内圧変化を和らげることができる。
【００３０】
そして、オイルシール手段３２が剛性材料により構成されて付勢手段３１に取り付けられているオイルシール本体３２０と、可撓性を有する弾性材料により構成されて該オイルシール本体３２０とピストンロッド３４との間に介在する第１のＯリング３２３と、可撓性を有する弾性材料により構成されて該オイルシール本体３３０と外管ユニット２の管壁２２の内壁面との間に介在する第２のＯリング３２４と、を有するように構成されているため、第２のＯリング３２４の介在によりオイルシール本体３２０を外管ユニット２の管壁２２の内側に安定に保持することができる共に、第１のＯリング３２３でピストンロッド３４をサポートしながらキャップ２３と共にピストンロッド３４の移動を案内することができるので、ピストンロッド３４の動きや第１のチャンバー２４７、第２のチャンバー２４６、及び空気チャンバー２４５の内圧変化に応じて移動するオイルシール本体３３０の作動にタイムラグが発生せず、そして該オイルシール本体３２０とピストンロッド３４及び外管ユニット２の管壁２２の内壁面との間には可撓性を有する弾性材料により構成された第1及び第２のＯリング３２３、３２４が介在していてオイルシールとしての機能を発揮することができるので、従来のダンパ装置よりスムーズに作動することが出来て減衰効果を向上させることが出来る。
【産業上の利用可能性】
【００３１】
上記構成によれば、本考案のダンパ装置は従来よりもスムーズに作動することが出来て減衰効果を向上できるダンパ装置を提供することができるので、例えば建物や家具または自動車などの交通手段に適用することができる。
【符号の説明】
【００３２】
２        外管ユニット
２０１     第１の端部
２０２     第２の端部
２１      端板
２２      管壁
２２１     縮径部
２３      キャップ
２４      収容空間
２４４     液体
２４５     空気チャンバー
２４６     第２のチャンバー
２４７     第１のチャンバー
３        ピストンユニット
３１      付勢手段
３２      オイルシール手段
３２０     オイルシール本体
３２１     第１のブロック
３２２     第２のブロック
３２３     第１のＯリング
３２４     第２のＯリング
３２６     第１の収容溝
３２７     結合スロット
３２８     第２の収容溝
３２９     結合ピン
３３      ピストンヘッド
３３０     ピストン本体
３３１     仕切りフランジ
３３２     第３のＯリング
３３３     保持フランジ
３３４     第３の収容溝
３３５     連通孔
３４      ピストンロッド
【図１】
0003205628.tif 000003
【図２】
0003205628.tif 000004
【図３】
0003205628.tif 000005
【図４】
0003205628.tif 000006
【図５】
0003205628.tif 000007
【図６】
0003205628.tif 000008
【図７】
0003205628.tif 000009